(57)【特許請求の範囲】
【請求項１】
正面から見れば下側に押し動かしロッドを有するプッシュ式防火隔離初歩成型の緊急用森林防火車であって、主体を含み、前記主体の中には裁断チャンバが設置され、前記裁断チャンバの前後内壁の間には回転ロッドが左右対称的に回転できるように装着され、前記回転ロッドには固定ナイフが固定的に装着され、前記固定ナイフの前側面には引っ掛かりブロックチャンバが上下対称的に設置され、前記固定ナイフの前側面には移動ナイフがスライドできるように設置され、前記移動ナイフの後側面には引っ掛かりブロックが前後対称的に固定的に装着され、前記引っ掛かりブロックが前記引っ掛かりブロックチャンバの中に位置しており、且つ前記引っ掛かりブロックチャンバとスライドできるように装着され、前記移動ナイフの中には抜き穴が設置され、前記抜き穴と前記回転ロッドとがスライドできるように装着され、左右両側の前記固定ナイフの間には前記固定ナイフを連動させて回転させることができる回転機構が設置され、左右両側の前記移動ナイフの間には裁断機構が設置され、前記裁断機構は前記移動ナイフを前記固定ナイフでスライドさせることにより草木を裁断し、前記裁断チャンバの前後内壁の間には固定箱が固定的に装着され、前記固定箱の中には土を掘り返せる土掘り返し機構が設置され、前記土掘り返し機構が土を掘り返す時に前記主体を連動させて移動させることができ、
前記回転機構は移動チャンバと、ネジ山ブロックと、ヒンジ連結ロッドと、固定ブロックと、伸縮チャンバと、第一ばねと、ネジロッドと、つまみとにより構成され、
前記移動チャンバが前記裁断チャンバの後側内壁に連通するように設置され、前記移動チャンバにはネジ山ブロックがスライドできるように装着され、前記ネジ山ブロックにはヒンジ連結ロッドが左右対称的に、且つヒンジにより装着され、前記回転ロッドのうち前記固定ナイフの後側に位置しているところには固定ブロックが固定的に装着され、前記固定ブロックの中には伸縮チャンバが設置され、前記伸縮チャンバと前記ヒンジ連結ロッドとがスライドできるように装着され、前記ヒンジ連結ロッドと前記伸縮チャンバとの間には第一ばねが固定的に装着され、前記固定箱の底面の中には前記主体の底面を貫通したネジロッドが回転できるように装着され、前記ネジロッドの底面にはつまみが固定的に装着され、前記ネジロッドと前記ネジ山ブロックとがネジ山により装着され、
前記裁断機構はスライドチャンバと、スライドブロックと、裁断箱と、偏心輪チャンバと、リミットブロックと、ばねチャンバと、第二ばねと、第一モータと、動力ロッドと、偏心輪とにより構成され、
前記スライドチャンバが前記裁断チャンバの前側内壁に左右対称的に設置され、前記スライドチャンバの中にはスライドブロックがスライドできるように装着され、前記スライドブロックの後側面には裁断箱が固定的に装着され、前記裁断箱の中には偏心輪チャンバが設置され、前記移動ナイフが下方へ伸びて前記偏心輪チャンバの頂壁を貫通しており、前記移動ナイフと前記裁断箱とがスライドできるように装着され、前記移動ナイフの前側面にはリミットブロックが固定的に装着され、前記裁断箱のうち前記移動ナイフの前側に位置しているところにはばねチャンバが設置され、前記ばねチャンバと前記リミットブロックとがスライドできるように装着され、前記リミットブロックの頂面と前記ばねチャンバの頂壁との間には第二ばねが固定的に装着され、前記偏心輪チャンバの後側内壁の中には第一モータが固定的に装着され、前記第一モータの前向きの出力軸の前側面には動力ロッドが固定的に装着され、前記動力ロッドの前側面には偏心輪が固定的に装着され、
前記第一モータを始動し、前記第一モータが前記動力ロッドを連動させて回転させ、前記動力ロッドが回転して前記偏心輪を連動させて回転させ、前記偏心輪が回転して前記移動ナイフを押し動かして移動させ、前記移動ナイフが前記固定ナイフでスライドし、草木を裁断し、
前記スライドチャンバが円弧の形であることを特徴とするプッシュ式防火隔離初歩成型の緊急用森林防火車。
【請求項２】
前記主体の底面には押し動かしロッドが固定的に装着されていることを特徴とする請求項１に記載のプッシュ式防火隔離初歩成型の緊急用森林防火車。
【請求項３】
前記土掘り返し機構は土掘り返しチャンバと、伝動チャンバと、土掘り返しロッドと、土掘り返し棒と、第一ギヤと、空きチャンバと、第二モータと、連結ロッドと、第二ギヤと、第一チェーンとによれ構成され、
前記土掘り返しチャンバが前記固定箱の中に設置されており、且つ上方へ開口しており、前記土掘り返しチャンバの左側には伝動チャンバが設置され、前記土掘り返しチャンバの右側内壁の中には前記伝動チャンバの右側内壁を貫通した土掘り返しロッドが回転できるように装着され、前記土掘り返しロッドのうち前記土掘り返しチャンバの中に位置しているところには土掘り返し棒が固定的に装着され、前記土掘り返しロッドの左側面には第一ギヤが固定的に装着され、前記固定箱の中には下方へ開口した空きチャンバが設置され、前記空きチャンバの右側内壁の中には第二モータが固定的に装着され、前記第二モータの左向きの出力軸の左側面には前記伝動チャンバの右側内壁を貫通した連結ロッドが固定的に装着され、前記連結ロッドの左側面には第二ギヤが固定的に装着され、前記第二ギヤと前記第一ギヤとの間には第一チェーンが伝動できるように装着されていることを特徴とする請求項１に記載のプッシュ式防火隔離初歩成型の緊急用森林防火車。
【請求項４】
前記空きチャンバが下方へ伸びて前記裁断チャンバの底壁を貫通し、前記主体の中には前記空きチャンバを通り抜けた移動ロッドが回転できるように装着され、前記移動ロッドの左右両側面には移動輪が固定的に装着され、前記回転ロッドのうち前記空きチャンバの中に位置しているところには第三ギヤが固定的に装着され、前記連結ロッドのうち前記空きチャンバの中に位置しているところには第四ギヤが固定的に装着され、前記第四ギヤと前記第三ギヤとの間には第二チェーンが伝動できるように装着されていることを特徴とする請求項１に記載のプッシュ式防火隔離初歩成型の緊急用森林防火車。
【請求項５】
前記固定箱の後側面には連結ブロックが固定的に装着され、前記連結ブロックにはガイドローラが回転できるように装着されていることを特徴とする請求項１に記載のプッシュ式防火隔離初歩成型の緊急用森林防火車。
【発明の詳細な説明】
【技術分野】
【０００１】
本発明は森林防火技術分野を取り上げて、具体的にはプッシュ式防火隔離初歩成型の緊急用森林防火車である。
【背景技術】
【０００２】
火災は森林にとって一番危険な敵であり、また、林業の一番恐ろしい災害であり、火災が森林に最も有害で壊滅的な結果を招き、森林で火災が起こる時、防火隔離を行って火災の延焼を防止する必要がある。
一般的に、防火隔離を行うには人がシャベルで土をすくい、そして隔離区域の周りの草木を取り除き、作業量が多くて進展が遅く、大火に遭遇する時、人力で防火隔離を行う時間が足りなく、操作人員の安全も保障できなく、また、一般の防火隔離初歩成型の緊急用森林防火車が土を掘り返す機能を有し、また土を掘り返す過程において土の周りの草木を取り除く機能も有し、しかし、草木を取り除く設備の角度を調整にくく、取り除く範囲を広めにくい。
【先行技術文献】
【特許文献】
【０００３】
【特許文献１】中国特許出願公開第１０８２３０６００号明細書
【発明の概要】
【発明が解決しようとする課題】
【０００４】
本発明はプッシュ式防火隔離初歩成型の緊急用森林防火車を提供し、従来技術における上記欠点を解消することを目的とする。
【課題を解決するための手段】
【０００５】
本発明の実施例のプッシュ式防火隔離初歩成型の緊急用森林防火車は、主体を含み、前記主体の中には裁断チャンバが設置され、前記裁断チャンバの前後内壁の間には回転ロッドが左右対称的に回転できるように装着され、前記回転ロッドには固定ナイフが固定的に装着され、前記固定ナイフの前側面には引っ掛かりブロックチャンバが上下対称的に設置され、前記固定ナイフの前側面には移動ナイフがスライドできるように設置され、前記移動ナイフの後側面には引っ掛かりブロックが前後対称的に固定的に装着され、前記引っ掛かりブロックが前記引っ掛かりブロックチャンバの中に位置しており、且つ前記引っ掛かりブロックチャンバとスライドできるように装着され、前記移動ナイフの中には抜き穴が設置され、前記抜き穴と前記回転ロッドとがスライドできるように装着され、左右両側の前記固定ナイフの間には前記固定ナイフを連動させて回転させることができる回転機構が設置され、左右両側の前記移動ナイフの間には裁断機構が設置され、前記裁断機構は前記移動ナイフを前記固定ナイフでスライドさせることにより草木を裁断し、
前記裁断チャンバの前後内壁の間には固定箱が固定的に装着され、前記固定箱の中には土を掘り返せる土掘り返し機構が設置され、前記土掘り返し機構が土を掘り返す時に前記主体を連動させて回転させることができる。
【０００６】
上記の技術プランの上で、前記主体の底面には押し動かしロッドが固定的に装着され、前記押し動かしロッドにより前記主体を押し動かして移動させることができる。
【０００７】
上記の技術プランの上で、前記回転機構は移動チャンバと、ネジ山ブロックと、ヒンジ連結ロッドと、固定ブロックと、伸縮チャンバと、第一ばねと、ネジロッドと、つまみとにより構成され、前記移動チャンバが前記裁断チャンバの後側内壁に連通するように設置され、前記移動チャンバにはネジ山ブロックがスライドできるように装着され、前記ネジ山ブロックにはヒンジ連結ロッドが左右対称的に、且つヒンジにより装着され、前記回転ロッドのうち前記固定ナイフの後側に位置しているところには固定ブロックが固定的に装着され、前記固定ブロックの中には伸縮チャンバが設置され、前記伸縮チャンバと前記ヒンジ連結ロッドとがスライドできるように装着され、前記ヒンジ連結ロッドと前記伸縮チャンバとの間には第一ばねが固定的に装着され、前記固定箱の底面の中には前記主体の底面を貫通したネジロッドが回転できるように装着され、前記ネジロッドの底面にはつまみが固定的に装着され、前記ネジロッドと前記ネジ山ブロックとがネジ山により装着されている。
【０００８】
上記の技術プランの上で、前記裁断機構はスライドチャンバと、スライドブロックと、裁断箱と、偏心輪チャンバと、リミットブロックと、ばねチャンバと、第二ばねと、第一モータと、動力ロッドと、偏心輪とにより構成され、前記スライドチャンバが前記裁断チャンバの前側内壁に左右対称的に設置され、前記スライドチャンバの中にはスライドブロックがスライドできるように装着され、前記スライドブロックの後側面には裁断箱が固定的に装着され、前記裁断箱の中には偏心輪チャンバが設置され、前記移動ナイフが下方へ伸びて前記偏心輪チャンバの頂壁を貫通しており、前記移動ナイフと前記裁断箱とがスライドできるように装着され、前記移動ナイフの前側面にはリミットブロックが固定的に装着され、前記裁断箱のうち前記移動ナイフの前側に位置しているところにはばねチャンバが設置され、前記ばねチャンバと前記リミットブロックとがスライドできるように装着され、前記リミットブロックの頂面と前記ばねチャンバの頂壁との間には第二ばねが固定的に装着され、前記偏心輪チャンバの後側内壁の中には第一モータが固定的に装着され、前記第一モータの前向きの出力軸の前側面には動力ロッドが固定的に装着され、前記動力ロッドの前側面には偏心輪が固定的に装着されている。
【０００９】
上記の技術プランの上で、前記スライドチャンバが円弧の形であり、前記回転機構が前記固定ナイフを連動させて回転させる時、前記裁断機構が前記移動ナイフにより前記固定ナイフとともに前記スライドチャンバでスライドできる。
【００１０】
上記の技術プランの上で、前記土掘り返し機構は土掘り返しチャンバと、伝動チャンバと、土掘り返しロッドと、土掘り返し棒と、第一ギヤと、空きチャンバと、第二モータと、連結ロッドと、第二ギヤと、第一チェーンとによれ構成され、前記土掘り返しチャンバが前記固定箱の中に設置されており、且つ上方へ開口しており、前記土掘り返しチャンバの左側には伝動チャンバが設置され、前記土掘り返しチャンバの右側内壁の中には前記伝動チャンバの右側内壁を貫通した土掘り返しロッドが回転できるように装着され、前記土掘り返しロッドのうち前記土掘り返しチャンバの中に位置しているところには土掘り返し棒が固定的に装着され、前記土掘り返しロッドの左側面には第一ギヤが固定的に装着され、前記固定箱の中には下方へ開口した空きチャンバが設置され、前記空きチャンバの右側内壁の中には第二モータが固定的に装着され、前記第二モータの左向きの出力軸の左側面には前記伝動チャンバの右側内壁を貫通した連結ロッドが固定的に装着され、前記連結ロッドの左側面には第二ギヤが固定的に装着され、前記第二ギヤと前記第一ギヤとの間には第一チェーンが伝動できるように装着されている。
【００１１】
上記の技術プランの上で、前記空きチャンバが下方へ伸びて前記裁断チャンバの底壁を貫通し、前記主体の中には前記空きチャンバを通り抜けた移動ロッドが回転できるように装着され、前記移動ロッドの左右両側面には移動輪が固定的に装着され、前記回転ロッドのうち前記空きチャンバの中に位置しているところには第三ギヤが固定的に装着され、前記連結ロッドのうち前記空きチャンバの中に位置しているところには第四ギヤが固定的に装着され、前記第四ギヤと前記第三ギヤとの間には第二チェーンが伝動できるように装着されている。
【００１２】
上記の技術プランの上で、前記固定箱の後側面には連結ブロックが固定的に装着され、前記連結ブロックにはガイドローラが回転できるように装着され、前記ガイドローラが方向を導ける。
【発明の効果】
【００１３】
本発明の有益効果は：本発明は押し動かしロッドによって主体を押し動かして移動させることができ、土掘り返し機構の中の土掘り返し棒が土を掘り返し、土を掘り返す過程において、土掘り返し機構が移動輪を連動させて回転させ、移動輪が主体を連動させて移動させることができ、労働力を減らし、防火隔離を行う速度を速め、土掘り返し機構の左右両側には草木を裁断して取り除く裁断機構が設置され、つまみを回転させることでネジロッドを連動させて回転させ、ネジロッドが回転してネジ山ブロックを連動させて移動させ、ヒンジ連結ロッドと固定ブロックとにより回転ロッドを連動させて回転させ、これにより裁断機構の中の固定ナイフが回転して角度を調整し、草木を取り除く範囲を増加できるまたは減少でき、普及する価値がある。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の構成模式図
【図２】図２は図１におけるＡ―Ａ方向の断面構成模式図
【図３】図３は図１におけるＢ―Ｂ方向の断面構成模式図
【図４】図４は図１におけるＣのところの拡大模式図
【図５】図５は本発明のネジ山ブロックの上面構成模式図
【発明を実施するための形態】
【００１６】
図１〜５を参照し、本発明の実施例のプッシュ式防火隔離初歩成型の緊急用森林防火車は、主体２５を含み、前記主体２５の中には裁断チャンバ１６が設置され、前記裁断チャンバ１６の前後内壁の間には回転ロッド２９が左右対称的に回転できるように装着され、前記回転ロッド２９には固定ナイフ３０が固定的に装着され、前記固定ナイフ３０の前側面には引っ掛かりブロックチャンバ３６が上下対称的に設置され、前記固定ナイフ３０の前側面には移動ナイフ３５がスライドできるように設置され、前記移動ナイフ３５の後側面には引っ掛かりブロック３７が前後対称的に固定的に装着され、前記引っ掛かりブロック３７が前記引っ掛かりブロックチャンバ３６の中に位置しており、且つ前記引っ掛かりブロックチャンバ３６とスライドできるように装着され、前記移動ナイフ３５の中には抜き穴４０が設置され、前記抜き穴４０と前記回転ロッド２９とがスライドできるように装着され、左右両側の前記固定ナイフ３０の間には前記固定ナイフ３０を連動させて回転させることができる回転機構１０１が設置され、左右両側の前記移動ナイフ３５の間には裁断機構１０２が設置され、前記裁断機構１０２は前記移動ナイフ３５を前記固定ナイフ３０でスライドさせることにより草木を裁断し、前記裁断チャンバ１６の前後内壁の間には固定箱３１が固定的に装着され、前記固定箱３１の中には土を掘り返せる土掘り返し機構１０３が設置され、前記土掘り返し機構１０３が土を掘り返す時に前記主体２５を連動させて回転させることができる。
【００１７】
また、一つの実施例においては、前記主体２５の底面には押し動かしロッド２１が固定的に装着され、前記押し動かしロッド２１により前記主体２５を押し動かして移動させることができる。
【００１８】
また、一つの実施例においては、前記回転機構１０１は前記裁断チャンバ１６の後側内壁に連通するように設置された移動チャンバ２６を含み、前記移動チャンバ２６にはネジ山ブロック１８がスライドできるように装着され、前記ネジ山ブロック１８にはヒンジ連結ロッド１７が左右対称的に、且つヒンジにより装着され、前記回転ロッド２９のうち前記固定ナイフ３０の後側に位置しているところには固定ブロック１５が固定的に装着され、前記固定ブロック１５の中には伸縮チャンバ２７が設置され、前記伸縮チャンバ２７と前記ヒンジ連結ロッド１７とがスライドできるように装着され、前記ヒンジ連結ロッド１７と前記伸縮チャンバ２７との間には第一ばね２８が固定的に装着され、前記固定箱３１の底面の中には前記主体２５の底面を貫通したネジロッド２４が回転できるように装着され、前記ネジロッド２４の底面にはつまみ２３が固定的に装着され、前記ネジロッド２４と前記ネジ山ブロック１８とがネジ山により装着され、これにより固定ナイフ３０を回転させる時、つまみ２３を回転させてネジロッド２４を連動させて回転させ、ネジロッド２４が回転してネジ山ブロック１８を連動させて上方へ移動させ、ネジ山ブロック１８がヒンジ連結ロッド１７と固定ブロック１５とにより回転ロッド２９を連動させて回転させ、これにより固定ナイフ３０が回転し、所要の固定ナイフ３０の角度を調整できる。
【００１９】
また、一つの実施例においては、前記裁断機構１０２は前記裁断チャンバ１６の前側内壁に対称的に設置されたスライドチャンバ４１を含み、前記スライドチャンバ４１の中にはスライドブロック４２がスライドできるように装着され、前記スライドブロック４２の後側面には裁断箱５５が固定的に装着され、前記裁断箱５５の中には偏心輪チャンバ４４が設置され、前記移動ナイフ３５が下方へ伸びて前記偏心輪チャンバ４４の頂壁を貫通しており、前記移動ナイフ３５と前記裁断箱５５とがスライドできるように装着され、前記移動ナイフ３５の前側面にはリミットブロック５３が固定的に装着され、前記裁断箱５５のうち前記移動ナイフ３５の前側に位置しているところにはばねチャンバ５２が設置され、前記ばねチャンバ５２と前記リミットブロック５３とがスライドできるように装着され、前記リミットブロック５３の頂面と前記ばねチャンバ５２の頂壁との間には第二ばね５４が固定的に装着され、前記偏心輪チャンバ４４の後側内壁の中には第一モータ４６が固定的に装着され、前記第一モータ４６の前向きの出力軸の前側面には動力ロッド４５が固定的に装着され、前記動力ロッド４５の前側面には偏心輪４３が固定的に装着され、これにより草木を裁断する時、第一モータ４６が起動して動力ロッド４５を連動させて回転させ、動力ロッド４５が回転して偏心輪４３を連動させて回転させ、偏心輪４３が回転して移動ナイフ３５を押し動かして移動させ、移動ナイフ３５が固定ナイフ３０でスライドし、草木を裁断する。
【００２０】
また、一つの実施例においては、前記スライドチャンバ４１が円弧の形であり、前記回転機構１０１が前記固定ナイフ３０を連動させて回転させる時、前記裁断機構１０２が前記移動ナイフ３５により前記固定ナイフ３０とともに前記スライドチャンバ４１でスライドできる。
【００２１】
また、一つの実施例においては、前記土掘り返し機構１０３は前記固定箱３１の中に設置された土掘り返しチャンバ３２を含み、前記土掘り返しチャンバ３２が上方へ開口しており、前記土掘り返しチャンバ３２の左側には伝動チャンバ１２が設置され、前記土掘り返しチャンバ３２の右側内壁の中には前記伝動チャンバ１２の右側内壁を貫通した土掘り返しロッド３３が回転できるように装着され、前記土掘り返しロッド３３のうち前記土掘り返しチャンバ３２の中に位置しているところには土掘り返し棒３４が固定的に装着され、前記土掘り返しロッド３３の左側面には第一ギヤ１１が固定的に装着され、前記固定箱３１の中には下方へ開口した空きチャンバ５１が設置され、前記空きチャンバ５１の右側内壁の中には第二モータ５０が固定的に装着され、前記第二モータ５０の左向きの出力軸の左側面には前記伝動チャンバ１２の右側内壁を貫通した連結ロッド４８が固定的に装着され、前記連結ロッド４８の左側面には第二ギヤ４７が固定的に装着され、前記第二ギヤ４７と前記第一ギヤ１１との間には第一チェーン１３が伝動できるように装着され、これにより土を掘り返す時、第二モータ５０が起動して連結ロッド４８と第二ギヤ４７とを連動させて回転させ、第二ギヤ４７が第一チェーン１３により第一ギヤ１１と土掘り返しロッド３３とを連動させて回転させ、土掘り返しロッド３３が回転して土掘り返し棒３４を連動させて回転させ、土掘り返し棒３４が土を掘り返す。
【００２２】
また、一つの実施例においては、前記空きチャンバ５１が下方へ伸びて前記裁断チャンバ１６の底壁を貫通し、前記主体２５の中には前記空きチャンバ５１を通り抜けた移動ロッド２０が回転できるように装着され、前記移動ロッド２０の左右両側面には移動輪１９が固定的に装着され、前記回転ロッド２９のうち前記空きチャンバ５１の中に位置しているところには第三ギヤ２２が固定的に装着され、前記連結ロッド４８のうち前記空きチャンバ５１の中に位置しているところには第四ギヤ４９が固定的に装着され、前記第四ギヤ４９と前記第三ギヤ２２との間には第二チェーン１４が伝動できるように装着され、これにより連結ロッド４８が回転する時、連結ロッド４８が第四ギヤ４９を連動させて回転させ、第四ギヤ４９が第二チェーン１４により第三ギヤ２２と移動ロッド２０とを連動させて回転させ、これにより移動輪１９が回転して主体２５を連動させて移動させる。
【００２３】
また、一つの実施例においては、前記固定箱３１の後側面には連結ブロック３９が固定的に装着され、前記連結ブロック３９にはガイドローラ３８が回転できるように装着され、前記ガイドローラ３８が方向を導ける。
【００２４】
使用する時、固定ナイフ３０を回転させる時、つまみ２３を回転させてネジロッド２４を連動させて回転させ、ネジロッド２４が回転してネジ山ブロック１８を連動させて上方へ移動させ、ネジ山ブロック１８がヒンジ連結ロッド１７と固定ブロック１５とにより回転ロッド２９を連動させて回転させ、これにより固定ナイフ３０が回転し、所要の固定ナイフ３０の角度を調整でき、そして第一モータ４６を始動し、第一モータ４６が動力ロッド４５を連動させて回転させ、動力ロッド４５が回転して偏心輪４３を連動させて回転させ、偏心輪４３が回転して移動ナイフ３５を押し動かして移動させ、移動ナイフ３５が固定ナイフ３０でスライドし、草木を裁断し、土を掘り返す時、第二モータ５０が起動して連結ロッド４８と第二ギヤ４７とを連動させて回転させ、第二ギヤ４７が第一チェーン１３により第一ギヤ１１と土掘り返しロッド３３とを連動させて回転させ、土掘り返しロッド３３が回転して土掘り返し棒３４を連動させて回転させ、土掘り返し棒３４が土を掘り返し、連結ロッド４８が回転して第四ギヤ４９を連動させて回転させ、第四ギヤ４９が第二チェーン１４により第三ギヤ２２と移動ロッド２０とを連動させて回転させ、これにより移動輪１９が回転して主体２５を連動させて移動させる。
【００２５】
本発明の有益効果は：本発明は押し動かしロッドによって主体を押し動かして移動させることができ、土掘り返し機構の中の土掘り返し棒が土を掘り返し、土を掘り返す過程において、土掘り返し機構が移動輪を連動させて回転させ、移動輪が主体を連動させて移動させることができ、労働力を減らし、防火隔離を行う速度を速め、土掘り返し機構の左右両側には草木を裁断して取り除く裁断機構が設置され、つまみを回転させることでネジロッドを連動させて回転させ、ネジロッドが回転してネジ山ブロックを連動させて移動させ、ヒンジ連結ロッドと固定ブロックとにより回転ロッドを連動させて回転させ、これにより裁断機構の中の固定ナイフが回転して角度を調整し、草木を取り除く範囲を増加できるまたは減少でき、普及する価値がある。
【００２６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本発明はプッシュ式防火隔離初歩成型の緊急用森林防火車を開示した。    
【解決手段】
主体を含み、前記主体の中には裁断チャンバが設置され、前記裁断チャンバの前後内壁の間には回転ロッドが左右対称的に回転できるように装着され、前記回転ロッドには固定ナイフが固定的に装着され、押し動かしロッドによって主体を押し動かして移動させることができ、土掘り返し機構の中の土掘り返し棒が土を掘り返し、移動輪が主体を連動させて移動させることができ、土掘り返し機構の左右両側には草木を裁断して取り除く裁断機構が設置され、つまみを回転させることでネジロッドを連動させて回転させ、ネジロッドが回転してネジ山ブロックを連動させて移動させ、ヒンジ連結ロッドと固定ブロックとにより回転ロッドを連動させて回転させ、これにより裁断機構の中の固定ナイフが回転して角度を調整する。
【選択図】図１【図１】
0006783976.tif 000002
【図２】
0006783976.tif 000003
【図３】
0006783976.tif 000004
【図４】
0006783976.tif 000005
【図５】
0006783976.tif 000006